(57)【要約】      （修正有）【課題】ＭＦＰがドングルＰＣの起動中においても、拡張機能を操作部上に表示できる小型コンピュータおよび画像処理装置を用いたシステムを提供する。【解決手段】ＭＦＰは予めドングルＰＣから拡張機能表示データを取得しておき、電源投入時や省電力状態からの復帰時にドングルＰＣのプログラム起動が完了する前にＵＳＢ  ＩＤ及び拡張機能一覧情報を取得し照合を行う。その照合結果を元に、予め取得してある拡張機能を操作部上に表示させる。【選択図】図４
2017005320.tif 000002
【特許請求の範囲】
【請求項１】
ＭＦＰ（１０１）は以下を備える、
情報処理装置（１０２）と接続しＵＳＢ通信を行うためのＵＳＢインターフェース（２１３）と、
情報処理装置（１０２）のＵＳＢ  ＩＤを取得する手段と、
前記ＵＳＢ  ＩＤ取得手段によって取得したＩＤが情報処理装置（１０２）のＩＤと一致するかを判断する手段と、
前記判断の結果、一致した場合は情報処理装置（１０２）のプログラム起動が完了する前に拡張機能一覧情報をＭＦＰ（１０１）に取得する手段と、
操作パネル（２１２）に表示させるための表示データを情報処理装置（１０２）から取得する手段と、
前記拡張機能一覧情報取得手段によって取得した一覧情報と、予め保持している拡張機能一覧情報が一致するかを判断する手段と、
前記表示データ取得手段によって取得した拡張機能表示データを操作パネル（２１２）に拡張機能を表示させる手段と、
前記表示手段によって表示させた拡張機能をユーザが選択したかを判断する手段と、
情報処理装置（１０２）のプログラム起動が完了したかを判断する手段と、
操作パネル（２１２）に表示した拡張機能がユーザによって選択され、かつ情報処理装置（１０２）のプログラム起動が完了していない場合は、情報処理装置（１０２）が起動中である旨を操作パネル（２１２）に表示する手段と、
情報処理装置（１０２）がＵＳＢインターフェース（２１３）から抜かれた場合は、情報処理装置（１０２）から取得した、拡張機能一覧情報及び表示データを消去する手段。
【発明の詳細な説明】
【技術分野】
【０００１】
本発明は、小型コンピュータおよび画像処理装置を用いたシステムに関する。
【背景技術】
【０００２】
近年、ドングル型コンピュータ（以下、ドングルＰＣと記述する）と呼ばれる小型コンピュータが急速に普及し始めている。ドングルＰＣはＵＳＢ（Ｕｎｉｖｅｒｓａｌ  Ｓｅｒｉａｌ  Ｂｕｓ）やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）といったインターフェースで、ホストコンピュータと接続して利用される。
【０００３】
ここで、ホストコンピュータがＭＦＰ（Ｍｕｌｔｉ  Ｆｕｎｃｔｉｏｎ  Ｐｒｉｎｔｅｒ）である場合、ドングルＰＣの用途は大きく分けて２つ考えられている。
【０００４】
１つ目の用途は、ドングルＰＣが具備するハードウェアを利用した機能拡張である。ドングルＰＣはＣＰＵやＧＰＵ、ＤＲＡＭ、フラッシュＲＯＭ、Ｗｉ−Ｆｉといったハードウェアを具備しており、これらを利用した機能拡張が考えられている。２つ目の用途は、ドングルＰＣが具備するソフトウェアを利用した機能拡張である。例えば、ドングルＰＣにＯＣＲ（Ｏｐｔｉｃａｌ  Ｃｈａｒａｃｔｅｒ  Ｒｅｃｏｇｎｉｔｉｏｎ）処理ソフトをインストールし、ＭＦＰの原稿読み取り装置から読み取った画像データに対してＯＣＲ処理を実行するといった使い方が考えられている。
【０００５】
また、近年の製品の省電力化を図るために、ＵＳＢインターフェースへの電力供給を停止する技術が知られている。特許文献１では、接続されたＵＳＢ機器の識別情報に応じて電力供給を制限している。
【先行技術文献】
【特許文献】
【０００６】
【特許文献１】特開２０１２−１６８５８９号公報
【発明の概要】
【発明が解決しようとする課題】
【０００７】
しかしながら、ドングルＰＣへの電力供給はＭＦＰがＵＳＢインターフェースを用いて制御しているため、ＭＦＰがスリープ状態に移行すると、ＵＳＢインターフェースおよびそのＵＳＢインターフェースに接続されるドングルＰＣへの電力供給が停止される。その後、ＭＦＰがスリープ状態から復帰する場合に、ドングルＰＣにＭＦＰから電力が供給されて、ドングルＰＣの起動が開始する。ＭＦＰに搭載されているＣＰＵと比較してドングルＰＣに搭載されているＣＰＵは低速なためドングルＰＣのプログラム起動時間はＭＦＰのプログラム起動時間よりも長くなってしまう。
【０００８】
そのため、ＭＦＰがスリープ状態から復帰する場合、ＭＦＰはドングルＰＣの起動が完了するまでは、ドングルＰＣの拡張機能の表示データを取得できず、ユーザに拡張機能を表示できないし選択させることができない。
【０００９】
さらに、ＭＦＰが電源オフ状態でも、ＵＳＢインターフェースへの電力供給が停止されるので、当該ＵＳＢインターフェースに接続されるドングルＰＣへの電力供給も停止される。このため、ＭＦＰが電源オフ状態から復帰した場合にも、ＭＦＰがスリープ状態から復帰した場合と同様の課題がある。
【課題を解決するための手段】
【００１０】
ＭＦＰ（１０１）は以下を備える。
情報処理装置（１０２）と接続しＵＳＢ通信を行うためのＵＳＢインターフェース（２１３）と、
情報処理装置（１０２）のＵＳＢ  ＩＤを取得する手段と、
前記ＵＳＢ  ＩＤ取得手段によって取得したＩＤが情報処理装置（１０２）のＩＤと一致するかを判断する手段と、
前記判断の結果、一致した場合は情報処理装置（１０２）のプログラム起動が完了する前に拡張機能一覧情報をＭＦＰ（１０１）に取得する手段と、
操作パネル（２１２）に表示させるための表示データを情報処理装置（１０２）から取得する手段と、
前記拡張機能一覧情報取得手段によって取得した一覧情報と、予め保持している拡張機能一覧情報が一致するかを判断する手段と、
前記表示データ取得手段によって取得した拡張機能表示データを操作パネル（２１２）に拡張機能を表示させる手段と、
前記表示手段によって表示させた拡張機能をユーザが選択したかを判断する手段と、
情報処理装置（１０２）のプログラム起動が完了したかを判断する手段と、
操作パネル（２１２）に表示した拡張機能がユーザによって選択され、かつ情報処理装置（１０２）のプログラム起動が完了していない場合は、情報処理装置（１０２）が起動中である旨を操作パネル（２１２）に表示する手段と、
情報処理装置（１０２）がＵＳＢインターフェース（２１３）から抜かれた場合は、情報処理装置（１０２）から取得した、拡張機能一覧情報及び表示データを消去する手段。
【発明の効果】
【００１１】
ＭＦＰはドングルＰＣの起動中においても、拡張機能を操作部上に表示できるため利便性が向上する。
【図面の簡単な説明】
【００１２】
【図１】本発明の実施形態にかかる情報処理装置とＭＦＰの連携システムの概要を示す構成図である。
【図２】図１に示したシステムにおけるＭＦＰのハードウェア構成図である。
【図３】図１に示したシステムにおける情報処理装置のハードウェア構成図である。
【図４】本発明の第１の実施形態にかかるＭＦＰの動作フローを表す図である。
【図５】本発明の第１の実施形態にかかるＭＦＰの動作サブフローを表す図である。
【図６】本発明の第１の実施形態にかかる情報処理装置の動作フローを表す図である。
【図７】本発明の情報処理装置が保持するＭＦＰへ送信するための拡張機能表示データである。
【図８】本発明のＭＦＰにおける操作部の表示画面である。
【図９】本発明の第２の実施形態にかかるＭＦＰの動作フローを表す図である。
【図１０】本発明の第２の実施形態にかかる情報処理装置の動作フローを表す図である。
【図１１】本発明の本発明の第１の実施形態にかかるＭＦＰ及び情報処理装置の動作フローを表す図である。
【図１２】本発明の本発明の第２の実施形態にかかるＭＦＰ及び情報処理装置の動作フローを表す図である。
【発明を実施するための形態】
【００１３】
以下、本発明を実施するための最良の形態について図面を用いて説明する。
【００１４】
［実施例１］
図１は本発明の実施形態にかかる画像処理システム（１００）の概要を示すシステム構成図である。本実施例において、ＭＦＰ（１０１）と情報処理装置（１０２）はＵＳＢ（１０３）により接続することが可能である。
【００１５】
図２は図１に示したシステムに含まれるＭＦＰ（１０１）のハードウェア構成を示す図である。ＭＦＰ（１０１）は、コントローラボード（２００）、スキャナ（２０９）、プリンタエンジン（２０７）、操作パネル（２１２）などの部分から構成されている。これら各部がそれぞれ連動し、印刷、スキャン、コピー、ＦＡＸなどの機能を実現している。スキャナ（２０９）は、原稿の読み取りを、プリンタエンジン（２０７）は、印刷データの用紙への印刷を、操作パネル（２１２）は、各種設定操作、及びアラーム等の表示を受け持つ。
【００１６】
スキャナには原稿検知を行う原稿検知センサ（２２０）が接続されている。原稿検知センサ（２１８）は、圧板部（原稿台スキャナ部）とＡＤＦ部（Ａｕｔｏ Ｄｏｃｕｍｅｎｔｏ Ｆｅｅｄｅｒ部）にそれぞれ備わっている。圧板部の場合、原稿台ガラス上に原稿が置かれた場合に、原稿が置かれて事を検知して、スキャナ（２０９）へ通知する。ＡＤＦ部の場合、フィーダーに原稿が置かれた場合に、原稿が置かれた事を検知してスキャナ（２０９）へ通知する。コントローラボード（２００）内のＣＰＵ（２０１）はＭＦＰ全体を制御するコントローラであり、各部とシステムバス（２１７）で接続されている。
【００１７】
外部との通信は、各外部Ｉ／Ｆを介して通信可能に構成されている。ＦＡＸ  Ｉ／Ｆ（２１６）は、モジュラージャックを介し、公衆回線網に接続され、ＦＡＸ装置とＦＡＸ送受信を行う。ネットワークＩ／Ｆ（２１５）は、ＬＡＮ  Ｉ／Ｆコネクタを介し、ＬＡＮに接続し、ＰＣとネットワーク通信を行う。ＵＳＢ  Ａ  Ｉ／Ｆ（２１３）は、ＵＳＢコネクタを介し、情報処理装置（１０２）やＵＳＢメモリと接続し、ＵＳＢ通信を行う。ＵＳＢ  Ｂ  Ｉ／Ｆ（２１４）は、ＵＳＢコネクタを介し、ＰＣとローカル接続し、ＵＳＢ通信を行う。
【００１８】
無線ＬＡＮ  Ｉ／Ｆ（２１０）は、無線ＬＡＮアンテナ（２１１）を介し、無線ＬＡＮ通信を行う。スキャナ（２０９）とは、スキャナＩ／Ｆ（２０８）を介し、データ通信を行う。プリンタエンジン（２０７）とは、エンジンＩ／Ｆ（２０６）を介し、データ通信を行う。操作パネル（２１２）とは、システムバス（２１７）を介し、データ通信を行う。ＲＯＭ（２０３）はブートＲＯＭであり、ＭＦＰ（１０１）のブートプログラムが格納されている。ＲＡＭ（２０２）は、ＣＰＵ（２０１）が動作するためのシステムワークメモリであり、ＣＰＵ（２０１）の演算データや各種プログラムが記憶される。
【００１９】
またＲＡＭ（２０２）は、印刷時等に画像処理部（２０５）で種々の画像処理を施された画像データを保持する画像メモリとしても利用される。記憶装置（２０４）は、サイズの大きなプログラムやデータを保存しておくための不揮発の２次記憶装置であり、保存してあるサイズの大きなプログラムやデータはＲＡＭ（２０２）に展開して使用する。
【００２０】
図３は図１に示したシステムに含まれる情報処理装置（１０２）のハードウェア構成を示す図である。コントローラボード（３００）内のＣＰＵ（３０１）は情報処理装置（１０２）全体を制御するコントローラであり、各部とシステムバス（３０８）で接続されている。無線ＬＡＮ  Ｉ／Ｆ（３０５）は、無線ＬＡＮアンテナ（３０６）を介し、外部との無線ＬＡＮ通信を行う事が出来るように構成されている。ＲＯＭ（３０３）はブートＲＯＭであり、情報処理装置（１０２）のブートプログラムが格納されている。
【００２１】
ＲＡＭ（３０２）は、ＣＰＵ（３０１）が動作するためのシステムワークメモリであり、ＣＰＵ（３０１）の演算データや各種プログラムが記憶される。記憶装置（３０４）は、サイズの大きなプログラムやデータを保存しておくための不揮発の２次記憶装置であり、保存してあるサイズの大きなプログラムやデータはＲＡＭ（３０２）に展開して使用する。
【００２２】
次に図４から図６のフローチャートを用いてＭＦＰ（１０１）が情報処理装置（１０２）から拡張機能情報を取得するフローを説明する。ＭＦＰ（１０１）のフロー図４、図５は図２のＲＯＭ（２０３）、記憶装置（２０４）、ＲＡＭ（２０２）のいずれかに記憶されたプログラムに基づき、ＣＰＵ（２０１）によって実行される。情報処理装置（１０２）のフロー図６は図３のＲＯＭ（３０３）、記憶装置（３０４）、ＲＡＭ（３０２）のいずれかに記憶されたプログラムに基づき、ＣＰＵ（３０１）によって実行される。
【００２３】
まずＭＦＰ（１０１）は、Ｓ４０１でＵＳＢ  Ａ  Ｉ／Ｆ（２１３）の電源供給を開始する。次に、Ｓ４０２でＵＳＢ  Ａ  Ｉ／Ｆ（２１３）に接続されているデバイスがあるかを判断する。Ｓ４０２でＵＳＢ  Ａ  Ｉ／Ｆ（２１３）に接続されているデバイスがあるとき、ＵＳＢ  ＩＤを取得し情報処理装置（１０２）のＵＳＢ  ＩＤと一致するかを判断する（Ｓ４０３）。ここでＵＳＢ  ＩＤとはベンダーを識別できるベンダーＩＤと製品を識別できるプロダクトＩＤ（例えば情報処理装置など）が識別情報として含むＩＤである。
【００２４】
なおＵＳＢ  ＩＤの取得はＵＳＢプロトコルで定義されているコマンドを送信することによって接続されているデバイスのプログラム起動が完了する前に取得する事が可能である。取得したＵＳＢ  ＩＤが情報処理装置（１０２）と一致する場合（Ｓ４０３のＹＥＳ）、情報処理装置（１０２）に拡張機能一覧情報取得コマンドを送信する（Ｓ４０４）。ここで拡張機能一覧情報取得コマンドはデバイスのプログラム起動が完了する前に拡張機能一覧情報が取得できるコマンドである。
【００２５】
Ｓ４０５において、ＲＯＭ（２０３）または記憶装置（２０５）にすでに保持してある拡張機能一覧情報及びＭＦＰ（１０１）の操作パネル（２１２）に表示するための表示データ（図７）があるかを判断する（Ｓ４０５）。保持している拡張機能一覧情報及びＭＦＰ（１０１）の操作パネル（２１２）に表示するための表示データ（図７）がない場合（Ｓ４０５のＮＯ）は、情報処理装置（１０２）のプログラム起動が完了したかを判断する（Ｓ４０６）。
【００２６】
Ｓ４０６において情報処理装置（１０２）の起動が完了していなければＭＦＰ（１０１）の操作パネル（２１２）に図８（ｅ）のように情報処理装置（１０２）が起動中である旨をユーザに通知する（Ｓ４１５）。Ｓ４０６において情報処理装置（１０２）の起動が完了していれば、ＭＦＰ（１０１）の操作パネル（２１２）に表示するための表示データ（図７）を情報処理装置（１０２）に要求する（Ｓ４０７）。Ｓ４０８において表示データの受信が完了したかを判断し、受信が完了していればＳ４０９に進む。
【００２７】
なお、図示していないがＳ４０８で受信した表示データ（図７）はＲＯＭ（２０３）または記憶装置（２０５）に保持される。Ｓ４０９では情報処理装置（１０２）から受信した表示データ（図７）をＭＦＰ（１０１）の操作パネル（２１２）に図８（ｂ）のように表示させ（Ｓ４０９）図５のサブルーチン（１）へ進む。Ｓ５０１では操作パネル（２１２）に表示した拡張機能をユーザが選択したかを判断し、選択されていればＳ５０２へ進む。Ｓ５０２は情報処理装置（１０２）に拡張機能実行要求を送信し、Ｓ５０３で拡張機能を実行する。
【００２８】
Ｓ５０４では情報処理装置（１０２）がＵＳＢ  Ａ  Ｉ／Ｆ（２１３）から抜かれたかを判断し、抜かれたらＳ５０５に進む。Ｓ５０５ではＲＯＭ（２０３）または記憶装置（２０５）に保持してある拡張機能一覧情報及びＭＦＰ（１０１）の操作パネル（２１２）に表示するための表示データ（図７）を消去してサブルーチン（１）を抜ける。
【００２９】
Ｓ４０２でＵＳＢ  Ａ  Ｉ／Ｆ（２１３）に接続されているデバイスがない場合、及びＳ４０３において取得したＵＳＢ  ＩＤが情報処理装置（１０２）と一致しない場合、Ｓ４１０に進む。Ｓ４１０では、ＲＯＭ（２０３）または記憶装置（２０５）にすでに保持してある拡張機能一覧情報及びＭＦＰ（１０１）の操作パネル（２１２）に表示するための表示データ（図７）があるかを判断する。ＲＯＭ（２０３）または記憶装置（２０５）に保持しているデータあった場合（Ｓ４１０のＹＥＳ）、保持しているデータを消去する（Ｓ４１１）。
【００３０】
Ｓ４１０で保持しているデータがない場合は、Ｓ４１２に進みＭＦＰ（１０１）の操作パネル（２１２）に図８（ａ）のような通常画面を表示させる。
【００３１】
Ｓ４０５で、ＲＯＭ（２０３）または記憶装置（２０５）にすでに保持している拡張機能一覧情報及びＭＦＰ（１０１）の操作パネル（２１２）に表示するための表示データ（図７）がある場合Ｓ４１３に進む。Ｓ４１３では、Ｓ４０４で取得した拡張機能一覧情報と既に保持している拡張機能一覧情報を比較し、一致していなければＳ４０６に進む。Ｓ４１３における比較の結果、一致していればＳ４１６に進み、すでに保持している表示データ（図７）を操作パネル（２１２）に図８（ｂ）のように表示し（Ｓ４１６）、図５のサブルーチン（２）へ進む。Ｓ５０６では操作パネル（２１２）に表示した拡張機能をユーザが選択したかを判断し、選択されていればＳ５０７へ進む。
【００３２】
Ｓ５０７では情報処理装置（１０２）のプログラム起動が完了したかを判断し、完了していなければＳ５１２へ進み操作パネル（２１２）へ図８（ｄ）のような表示を行う。Ｓ５０７で情報処理装置（１０２）のプログラム起動が完了していればＳ５０８へ進み、情報処理装置（１０２）に拡張機能実行要求を送信し、Ｓ５０９で拡張機能を実行する。Ｓ５１０では情報処理装置（１０２）がＵＳＢ  Ａ  Ｉ／Ｆ（２１３）から抜かれたかを判断し、抜かれたらＳ５１１に進む。Ｓ５１１ではＲＯＭ（２０３）または記憶装置（２０５）に保持してある拡張機能一覧情報及びＭＦＰ（１０１）の操作パネル（２１２）に表示するための表示データ（図７）を消去してサブルーチン（２）を抜ける。
【００３３】
次に、情報処理装置（１０２）はＵＳＢ  Ａ  Ｉ／Ｆ（２１３）の電源供給が開始されるとプログラムを起動する（Ｓ６０１）。Ｓ６０２でＭＦＰ（１０１）から拡張機能一覧情報要求があるかを判断し、ある場合はＳ６０３へ進み拡張機能一覧情報を送信する。なお拡張機能一覧情報は情報処理装置のプログラムの起動が完了していなくても送信可能である。Ｓ６０４では、ＭＦＰ（１０１）の操作パネル（２１２）に表示するための表示データ（図７）の取得要求があるかを判断し、ある場合はＳ６０５に進み、表示データ（図７）を送信する。Ｓ６０６では、ＭＦＰ（１０１）から拡張機能実行要求があるかを判断し、要求がある場合はＳ６０７に進み、拡張機能を実行する。
【００３４】
以上の事から、ＭＦＰ（１０１）は情報処理装置（１０２）のプログラム起動中においても、拡張機能を操作パネル（２１２）に表示できるためユーザの利便性を向上させる事が可能となる。
【００３５】
図１１は情報処理装置（１０２）がＭＦＰ（１０１）に接続されてから、ＭＦＰ（１０１）がスリープ移行、そしてスリープ復帰までの情報処理装置（１０２）及びＭＦＰ（１０１）の動作フローを表した図である。詳細な説明は上記の図４から図６のフロー説明にて行ったため省略する。
【００３６】
［実施例２］
次に図９、図１０のフローチャートを用いて本発明に係る第２の実施形態について説明する。ＭＦＰ（１０１）のフロー図９は図２のＲＯＭ（２０３）、記憶装置（２０４）、ＲＡＭ（２０２）のいずれかに記憶されたプログラムに基づき、ＣＰＵ（２０１）によって実行される。情報処理装置（１０２）のフロー図１０は図３のＲＯＭ（３０３）、記憶装置（３０４）、ＲＡＭ（３０２）のいずれかに記憶されたプログラムに基づき、ＣＰＵ（３０１）によって実行される。
【００３７】
まずＭＦＰ（１０１）は、Ｓ９０１でＵＳＢ  Ａ  Ｉ／Ｆ（２１３）の電源供給を開始する。次に、Ｓ９０２でＵＳＢ  Ａ  Ｉ／Ｆ（２１３）に接続されているデバイスがあるかを判断する。Ｓ９０２でＵＳＢ  Ａ  Ｉ／Ｆ（２１３）に接続されているデバイスがあるとき、ＵＳＢ  ＩＤを取得し情報処理装置（１０２）のＵＳＢ  ＩＤと一致するかを判断する（Ｓ９０３）。取得したＵＳＢ  ＩＤが情報処理装置（１０２）と一致する場合（Ｓ９０３のＹＥＳ）、Ｓ９０４に進む。
【００３８】
Ｓ９０４において、ＲＯＭ（２０３）または記憶装置（２０５）にすでに保持してあるＭＦＰ（１０１）の操作パネル（２１２）に表示するための表示データ（図７）があるかを判断する。保持しているＭＦＰ（１０１）の操作パネル（２１２）に表示するための表示データ（図７）がない場合（Ｓ９０４のＮＯ）は、情報処理装置（１０２）のプログラム起動が完了したかを判断する（Ｓ９０５）。Ｓ９０５において情報処理装置（１０２）の起動が完了していなければＭＦＰ（１０１）の操作パネル（２１２）に図８（ｅ）のように情報処理装置（１０２）が起動中である旨をユーザに通知する（Ｓ９１４）。
【００３９】
Ｓ９０５において情報処理装置（１０２）の起動が完了していれば、ＭＦＰ（１０１）の操作パネル（２１２）に表示するための表示データ（図７）を情報処理装置（１０２）に要求する（Ｓ９０６）。Ｓ９０７において表示データの受信が完了したかを判断し、受信が完了していればＳ９０８に進む。なお、図示していないがＳ９０７で受信した表示データ（図７）はＲＯＭ（２０３）または記憶装置（２０５）に保持される。Ｓ９０８では情報処理装置（１０２）から受信した表示データ（図７）をＭＦＰ（１０１）の操作パネル（２１２）に図８（ｂ）のように表示させ（Ｓ４０９）Ｓ９０９へ進む。
【００４０】
Ｓ９０９では操作パネル（２１２）に表示した拡張機能をユーザが選択したかを判断し、選択されていればＳ９１０へ進む。Ｓ９１０は情報処理装置（１０２）に拡張機能実行要求を送信し、Ｓ９１１で拡張機能を実行する。Ｓ９１２では情報処理装置（１０２）がＵＳＢ  Ａ  Ｉ／Ｆ（２１３）から抜かれたかを判断し、抜かれたらＳ９０２に進む。
【００４１】
次に、情報処理装置（１０２）はＵＳＢ  Ａ  Ｉ／Ｆ（２１３）の電源供給が開始されるとプログラムを起動する（Ｓ１００１）。Ｓ１００２では、ＭＦＰ（１０１）の操作パネル（２１２）に表示するための表示データ（図７）の取得要求があるかを判断し、ある場合はＳ１００３に進み、表示データ（図７）を送信する。Ｓ１００４では、ＭＦＰ（１０１）から拡張機能実行要求があるかを判断し、要求がある場合はＳ１００５に進み、拡張機能を実行する。
【００４２】
図１２は情報処理装置（１０２）がＭＦＰ（１０１）に接続されてから、ＭＦＰ（１０１）がスリープ移行、そしてスリープ復帰までの情報処理装置（１０２）及びＭＦＰ（１０１）の動作フローを表した図である。詳細な説明は上記の図９、図１０のフロー説明にて行ったため省略する。
【符号の説明】
【００４３】
１００  画像処理システム、１０１  ＭＦＰ、１０２  情報処理装置、
１０３  ＵＳＢ
【図１】
2017005320.tif 000003
【図２】
2017005320.tif 000004
【図３】
2017005320.tif 000005
【図４】
2017005320.tif 000006
【図５】
2017005320.tif 000007
【図６】
2017005320.tif 000008
【図７】
2017005320.tif 000009
【図８】
2017005320.tif 000010
【図９】
2017005320.tif 000011
【図１０】
2017005320.tif 000012
【図１１】
2017005320.tif 000013
【図１２】
2017005320.tif 000014